(57)【要約】【課題】認証に必要なユーザの情報を記憶媒体に記憶することなく、ユーザが該情報を入力する手間を省いて認証を行うことが可能なデータ処理装置を提供する。【解決手段】ＭＦＰ１は、ユーザの識別情報及び登録要求を受け付ける操作部１９と、ＵＳＢメモリ３から該ＵＳＢメモリの識別情報を取得するＵＳＢインターフェース２５と、登録要求が受け付けられたユーザの識別情報に対して、ＵＳＢメモリ３の識別情報を関連付けて登録する登録部２３と、登録された情報に基づいて、ユーザの認証を行う認証部２４とを備える。認証部２４は、ＵＳＢメモリ３が自機に装着され、取得されたＵＳＢメモリ３の識別情報が登録部に登録されている場合に、ユーザの認証が成功したと判断する。【選択図】図１
2012164107.tif 000002
【特許請求の範囲】
【請求項１】
ユーザの識別情報及び登録要求を受け付ける受付部と、
自機に装着された着脱可能な記憶媒体から該記憶媒体の識別情報を取得する取得部と、
前記受付部によって登録要求が受け付けられた前記ユーザの識別情報に対して、前記取得部によって取得された前記記憶媒体の識別情報を関連付けて登録する登録部と、
前記登録部によって登録された情報に基づいてユーザ認証を行う認証部と、
前記認証部によって認証が成功したユーザによる要求に応じて、データの処理を行う処理部と、
を備え、
前記認証部は、前記記憶媒体が自機に装着され、前記取得部によって取得された前記記憶媒体の識別情報が前記登録部に登録されている場合に、該記憶媒体の識別情報と関連付けて登録されたユーザの識別情報によって識別されるユーザの認証が成功したと判断することを特徴とするデータ処理装置。
【請求項２】
前記取得部は、前記記憶媒体の識別情報として、該記憶媒体の製造時に記憶された該記録媒体の固有の情報を取得することを特徴とするデータ処理装置。
【請求項３】
前記受付部によって前記登録要求が受け付けられ、前記取得部によって取得された前記記憶媒体の識別情報が、既に前記登録部に登録されている場合、登録済みである旨のメッセージを表示する表示部を備えることを特徴とする請求項１又は２に記載のデータ処理装置。
【請求項４】
前記受付部によって前記登録要求が受け付けられ、前記取得部によって取得された前記記憶媒体の識別情報が、既に前記登録部に登録されている場合、上書登録を実行するか否かをユーザに問い合せるメッセージを表示する表示部を備えることを特徴とする請求項３に記載のデータ処理装置。
【請求項５】
前記認証部は、前記受付部によって前記登録要求が受け付けられることなく、前記記憶媒体が自機に装着された場合に、前記ユーザ認証を行うことを特徴とする請求項１〜４のいずれか１項に記載のデータ処理装置。
【請求項６】
ユーザの識別情報及び登録要求を受け付ける受付部と、
自機に装着された着脱可能な記憶媒体から該記憶媒体の識別情報を取得する取得部と、
前記受付部によって登録要求が受け付けられた前記ユーザの識別情報に対して、前記取得部によって取得された前記記憶媒体の識別情報を関連付けて登録する登録部と、
前記登録部によって登録された情報に基づいてユーザ認証を行う認証部と、
前記認証部によって認証が成功したユーザによる要求に応じて、画像データの処理を行う画像処理部と、
を備え、
前記認証部は、前記記憶媒体が自機に装着され、前記取得部によって取得された前記記憶媒体の識別情報が前記登録部に登録されている場合に、該記憶媒体の識別情報と関連付けて登録されたユーザの識別情報によって識別されるユーザの認証が成功したと判断することを特徴とする画像処理装置。
【発明の詳細な説明】
【技術分野】
【０００１】
本発明は、認証機能を有するデータ処理装置及び画像処理装置に関する。
【背景技術】
【０００２】
従来から、データ処理を行う各種のデータ処理装置が広く知られている。例えば、画像データの処理を行う画像処理装置がある。これらのデータ処理装置に中には、ユーザ認証を行って使用権限を確認した後に、データ処理を行うものがある。ユーザ認証は、例えば、ユーザが入力したユーザＩＤ及びパスワードと、予め記憶されているユーザＩＤ及びパスワードとを照合することにより行われる。
【０００３】
また、下記特許文献１には、ユーザがユーザＩＤ及びパスワードを入力する手間を省くために、自機に記憶されたユーザＩＤ及びパスワードをユーザの外部記憶媒体に記憶させる画像形成装置が記載されている。この画像形成装置は、外部記憶媒体が自機に装着されると、外部記憶媒体に記憶されているユーザＩＤ及びパスワードを取得し、自機が記憶しているユーザＩＤ及びパスワードと照合することによりユーザ認証を行う。
【先行技術文献】
【特許文献】
【０００４】
【特許文献１】特開２００３−２６３２８９号公報
【発明の概要】
【発明が解決しようとする課題】
【０００５】
上記特許文献１の画像形成装置によれば、ユーザがユーザＩＤ及びパスワードを入力する手間を省いて認証を行うことができるが、このために用いる外部記憶媒体には、ユーザＩＤ及びパスワードという認証に必要なユーザの情報を記憶する必要がある。このため、ユーザが適切に外部記憶媒体を管理しなければ、認証に必要なユーザの情報が他人に知られる虞がある。
【０００６】
そこで本発明は、上記問題点を解消するためになされたものであり、認証に必要なユーザの情報を記憶媒体に記憶することなく、ユーザが該情報を入力する手間を省いて認証を行うことが可能なデータ処理装置及び画像処理装置を提供することを目的とする。
【課題を解決するための手段】
【０００７】
本発明に係るデータ処理装置は、ユーザの識別情報及び登録要求を受け付ける受付部と、自機に装着された着脱可能な記憶媒体から該記憶媒体の識別情報を取得する取得部と、受付部によって登録要求が受け付けられたユーザの識別情報に対して、取得部によって取得された記憶媒体の識別情報を関連付けて登録する登録部と、登録部によって登録された情報に基づいてユーザ認証を行う認証部と、認証部によって認証が成功したユーザによる要求に応じて、データの処理を行う処理部とを備え、認証部は、記憶媒体が自機に装着され、取得部によって取得された記憶媒体の識別情報が登録部に登録されている場合に、該記憶媒体の識別情報と関連付けて登録されたユーザの識別情報によって識別されるユーザの認証が成功したと判断することを特徴とする。
【０００８】
本発明に係るデータ処理装置によれば、ユーザの識別情報及び登録要求がユーザから受け付けられ、自機に装着された着脱可能な記憶媒体の識別情報が該記憶媒体から取得され、受け付けられたユーザの識別情報に対して取得された記録媒体の識別情報が、関連付けて記憶される。ユーザ認証が行われる際には、自機に装着された記憶媒体から該記憶媒体の識別情報が取得され、取得された識別情報が登録されている場合に、該記録媒体の識別情報と関連付けて登録されたユーザの識別情報によって識別されるユーザの認証が成功したと判断される。このように、記憶媒体に記憶された該記憶媒体の識別情報を利用して認証を行うので、記憶媒体にユーザの識別情報を記憶する必要がなく、ユーザも識別情報を入力する必要がない。従って、認証に必要なユーザの情報を記憶媒体に記憶することなく、ユーザが該情報を入力する手間を省いて認証を行うことが可能となる。
【０００９】
本発明に係るデータ処理装置では、取得部が、記憶媒体の識別情報として、該記憶媒体の製造時に記憶された該記録媒体の固有の情報を取得することが好ましい。
【００１０】
この構成によれば、製造時に記憶されている記憶媒体の固有の情報を識別情報として利用するので、ユーザが記憶媒体の識別情報を設定することなく利用することができる。
【００１１】
本発明に係るデータ処理装置では、受付部によって登録要求が受け付けられ、取得部によって取得された記憶媒体の識別情報が、既に登録部に登録されている場合、登録済みである旨のメッセージを表示する表示部を備えることが好ましい。
【００１２】
この構成によれば、登録要求が受け付けられたが、装着されている記憶媒体から取得された該記憶媒体の識別情報が、既に登録されている場合、登録済みである旨のメッセージが表示される。これにより、ユーザが登録をしようとしている記憶媒体が既に登録されていることをユーザに通知することができる。
【００１３】
本発明に係るデータ処理装置では、受付部によって登録要求が受け付けられ、取得部によって取得された記憶媒体の識別情報が、既に登録部に登録されている場合、上書登録を実行するか否かをユーザに問い合せるメッセージを表示する表示部を備えることが好ましい。
【００１４】
この構成によれば、登録要求が受け付けられたが、装着されている記憶媒体から取得された該記憶媒体の識別情報が、既に登録されている場合、上書登録を実行するか否かをユーザに問い合わせるメッセージが表示される。これにより、ユーザが登録をしようとしている記憶媒体が既に登録されている場合に、上書登録を実行するか否かをユーザに問い合わせ、ユーザの指示に従って上書登録を行うことができる。
【００１５】
本発明に係るデータ処理装置では、認証部が、受付部によって登録要求が受け付けられることなく、記憶媒体が自機に装着された場合に、ユーザ認証を行うことが好ましい。
【００１６】
この構成によれば、ユーザが記憶媒体を自機に装着すれば、自動的にユーザ認証を行うことができる。
【００１７】
本発明に係る画像処理装置は、ユーザの識別情報及び登録要求を受け付ける受付部と、自機に装着された着脱可能な記憶媒体から該記憶媒体の識別情報を取得する取得部と、受付部によって登録要求が受け付けられたユーザの識別情報に対して、取得部によって取得された記憶媒体の識別情報を関連付けて登録する登録部と、登録部によって登録された情報に基づいてユーザ認証を行う認証部と、認証部によって認証が成功したユーザによる要求に応じて、画像データの処理を行う画像処理部とを備え、認証部は、記憶媒体が自機に装着され、取得部によって取得された記憶媒体の識別情報が登録部に登録されている場合に、該記憶媒体の識別情報と関連付けて登録されたユーザの識別情報によって識別されるユーザの認証が成功したと判断することを特徴とする。
【００１８】
本発明に係る画像処理装置によれば、ユーザの識別情報及び登録要求がユーザから受け付けられ、自機に装着された着脱可能な記憶媒体の識別情報が該記憶媒体から取得され、ユーザの識別情報に対して記録媒体の識別情報が、関連付けて記憶される。認証が行われる際には、自機に装着された該記憶媒体の識別情報が取得され、取得された識別情報が登録されている場合に、ユーザの認証が成功したと判断される。そして、ユーザの要求に応じて画像データの処理が行われる。このように、記憶媒体に記憶された該記憶媒体の識別情報を利用して認証を行うので、記憶媒体にユーザの識別情報を記憶する必要がなく、ユーザも識別情報を入力する必要がない。従って、認証に必要なユーザの情報を記憶媒体に記憶することなく、ユーザが該情報を入力する手間を省いて認証を行うことが可能となる。
【発明の効果】
【００１９】
本発明によれば、認証に必要なユーザの情報を記憶媒体に記憶することなく、ユーザが該情報を入力する手間を省いて認証を行うことが可能となる。
【図面の簡単な説明】
【００２０】
【図１】実施形態に係るＭＦＰの構成を示すブロック図である。
【図２】ＭＦＰの登録部に登録されたデータを示す図である。
【図３】ＭＦＰによるＵＳＢメモリの登録処理を示すフローチャートの前半部分である。
【図４】ＭＦＰによるＵＳＢメモリの登録処理を示すフローチャートの後半部分である。
【図５】ＭＦＰによるＵＳＢメモリを利用した認証処理を示すフローチャートである。
【発明を実施するための形態】
【００２１】
以下、図面を参照して本発明の好適な実施形態について詳細に説明する。ここでは、実施形態に係るデータ処理装置及び画像処理装置を複合機（ＭＦＰ）に適用した場合を例にして説明する。まず、図１を参照して実施形態に係るＭＦＰ１の構成について説明する。
【００２２】
ＭＦＰ１は、プリント、スキャン、ＦＡＸ（ファクシミリ）、及び、ＩＦＡＸ（インターネットＦＡＸ）を含む複数種類の画像処理を行う装置である。このＭＦＰ１は、ＬＡＮ（ローカルエリアネットワーク）９０に接続され、ネットワーク機能も有している。また、ＭＦＰ１は、ＵＳＢメモリ３に記憶された該ＵＳＢメモリの識別情報をユーザの識別情報と関連付けて予め登録することにより、ＵＳＢメモリ３を用いてユーザ認証を行う機能も有している。
【００２３】
図１に示されるように、ＭＦＰ１は、各種の画像データの処理を実行するために、プリンタ１０、スキャナ１１、ＦＡＸ制御部１２、及びＩ−ＦＡＸ制御部１３を備えている。
【００２４】
プリンタ１０は、例えば、電子写真方式により印刷を行うプリンタであり、各種の画像データを用紙に印刷する。例えば、プリンタ１０は、ネットワークを介して接続されたパーソナルコンピュータ５から送信されたプリントデータ、スキャナ１１により生成されたスキャンデータ、受信されたＦＡＸデータ及びＩ−ＦＡＸデータ等の画像データを印刷する。このプリンタ１０は、特許請求の範囲に記載の処理部及び画像処理部として機能する。
【００２５】
スキャナ１１は、ＣＣＤ等によって構成され、原稿を光学的に読み取ってスキャンデータを生成する。このスキャナ１１は、特許請求の範囲に記載の処理部及び画像処理部として機能する。
【００２６】
ＦＡＸ制御部１２は、ＭＦＰ１が備えるＮＣＵ（Ｎｅｔｗｏｒｋ  Ｃｏｎｔｒｏｌ  Ｕｎｉｔ）１４及びモデム１５を制御して、公衆電話回線（ＰＳＴＮ）９１を介したＦＡＸデータの送受信を行う。このＦＡＸ制御部１２、ＮＣＵ１４、及びモデム１５によって、特許請求の範囲に記載の処理部及び画像処理部として機能が発揮される。
【００２７】
Ｉ−ＦＡＸ制御部１３は、Ｉ−ＦＡＸデータが添付された電子メールを生成し、生成した電子メールをＭＦＰ１が備えるネットワークＩ／Ｆ１６によって送信させる。これにより、Ｉ−ＦＡＸデータの送信が行われる。Ｉ−ＦＡＸの受信は、Ｉ−ＦＡＸ制御部１３が、ネットワークＩ／Ｆ１６によって受信された電子メールから添付されたＩ−ＦＡＸデータを取得することにより行われる。このＩ−ＦＡＸ制御部１３及びネットワークＩ／Ｆ１６によって、特許請求の範囲に記載の処理部及び画像処理部の機能が発揮される。
【００２８】
上記の各構成要素が画像処理を実行するために、ＭＦＰ１は、コーディック１７及び画像記憶部１８を有している。コーディック１７は、スキャナ１１によって生成された画像データを符号化圧縮し、符号化圧縮されている画像データを復号化する。画像記憶部１８は、コーディック１７によって符号化圧縮された画像データを記憶する。
【００２９】
また、ＭＦＰ１は、ユーザから各種の操作を受け付けるために、操作部１９及び表示部２０を備えている。操作部１９は、ユーザから操作を受け付ける各種のキーを有している。表示部２０は、ディスプレイであり、各種の情報を表示する。
【００３０】
ＭＦＰ１は、パーソナルコンピュータ５を介してＷｅｂアクセスを受け付けるために、Ｗｅｂサーバ２１を備えている。Ｗｅｂサーバ２１は、パーソナルコンピュータ３から送信される表示タスクを実行することにより、Ｗｅｂページの情報、ハードディスクに記憶されている画像データ等がパーソナルコンピュータ５に提供される。これにより、パーソナルコンピュータ５のディスプレイに、Ｗｅｂページ、画像データ等が表示される。なお、Ｗｅｂサーバ２１は、特許請求の範囲に記載の処理部及び画像処理部として機能する。
【００３１】
ＭＦＰ１は、上記の各構成要素を統合的に制御するための制御部２２を備える。制御部２２は、物理的には、演算を行うＣＰＵ、ＣＰＵに各処理を実行させるためのプログラム等を記憶するＲＯＭ、演算結果などの各種データを一時的に記憶するＲＡＭ等により構成されている。この制御部２２は、機能的な構成として、登録部２３及び認証部２４を備える。
【００３２】
認証部２４は、登録部２３に登録された情報を用いてログイン認証を行う。ログイン認証は、ユーザ認証を行い、認証が成功した場合にログイン状態とする処理である。本実施形態に係るＭＦＰ１では、ユーザ認証を行う方法が２つある。
【００３３】
ユーザ認証を行う一つ目の方法では、ユーザが、ユーザの識別情報を操作部１９を利用して入力し、入力されたユーザの識別情報が登録部２３に登録されている場合に、ユーザ認証が成功したと判断される。ユーザ認証を行う二つ目の方法は、ＵＳＢメモリ３を用いる方法である。ＵＳＢメモリ３を用いる方法では、登録部２３が予めＵＳＢメモリ３の識別情報をユーザの識別情報と関連付けて登録する。そして、認証の際に装着されたＵＳＢメモリ３から該ＵＳＢメモリの識別情報が取得され、ＵＳＢメモリ３の識別情報が登録されている場合に、ユーザ認証が成功したと判断される。
【００３４】
このＵＳＢメモリ３を用いる方法について具体的に説明すると共に、ＭＦＰ１が備える操作部１９、登録部２３、認証部２４、及びＵＳＢインターフェース２５について説明する。
【００３５】
操作部１９は、ユーザの識別情報と登録要求とをユーザから受け付ける。登録要求は、ＵＳＢメモリ３の識別情報をユーザの識別情報と関連付けて登録することを要求するものである。操作部１９は、ユーザが上記の一つ目の方法を利用してログイン認証をする際に入力するユーザの識別情報を受け付け、ログインされた後に、ユーザからＵＳＢメモリ３の登録要求を受け付ける。このため、操作部１９は、特許請求の範囲に記載の受付部として機能する。
【００３６】
ＵＳＢインターフェース２５は、ＵＳＢメモリ３のコネクタをＭＦＰ１に着脱可能に装着するポートと、ＵＳＢメモリ３との間の通信制御を行う機能を有している。このＵＳＢインターフェース２５は、ＵＳＢメモリ３がＭＦＰ１に装着されたことを検出し、ＵＳＢメモリ３へリクエストを送信することにより、ＵＳＢメモリ３に記憶された該ＵＳＢメモリの識別情報を取得する。このため、ＵＳＢインターフェース２５は、特許請求の範囲に記載の取得部として機能する。
【００３７】
ＵＳＢメモリ３の識別情報は、本実施形態では、ＵＳＢメモリ３の製造時にＵＳＢメモリ３に記憶される情報であり、ＵＳＢメモリ３の固有の情報である。本実施形態では、ＵＳＢメモリ３の識別情報として、ベンダＩＤ、プロダクトＩＤ、及びシリアルナンバーを利用している。
【００３８】
登録部２３は、登録要求が受け付けられたユーザの識別情報に対して、ＵＳＢメモリ３から取得されたＵＳＢメモリ３の識別情報を関連付けて登録する。図２は、登録部２３に登録されたデータを示す図である。図２に示されるように、登録部２３には、ユーザの識別情報として、アカウント名とパスワードが記憶され、このユーザの識別情報と関連付けて、ＵＳＢメモリの識別情報が登録されている。
【００３９】
例えば、ユーザの識別情報であるアカウント名「ＡＡＡ」及びパスワード「１１１１」と関連付けて、ＵＳＢメモリ３の識別情報であるベンダ情報「ＸＸＸ」、プロダクトＩＤ「ＸＸＸＸ」及びシリアルナンバー「ＸＸＸＸＸ」が登録されている。なお、ユーザの識別情報であるアカウント名「ＣＣＣ」及びパスワード「３３３３」については、ＵＳＢメモリ３の識別情報が登録されていないが、これは、ＵＳＢメモリ３を用いずに、ユーザが識別情報を入力してユーザ認証を行う場合に利用される。
【００４０】
制御部２２は、登録要求が受け付けられ、取得されたＵＳＢメモリ３の識別情報が、既に登録部２３に登録されている場合、登録済みである旨のメッセージ、及び、上書登録を実行するか否かを問い合わせるメッセージを表示部２０に出力する。これにより、表示部２０は、登録要求が受け付けられ、取得されたＵＳＢメモリ３の識別情報が、既に登録部２３に登録されている場合、登録済みである旨のメッセージ、及び、上書登録を実行するか否かを問い合わせるメッセージを表示する。
【００４１】
表示されたメッセージに応じて、操作部１９が、ユーザから上書登録をしない旨の指示を受け付けた場合、登録部２３は、ＵＳＢメモリ３の登録を行わない。操作部１９が、ユーザから上書登録をする旨の指示を受け付けた場合、登録部２３は、上書登録を実行する。すなわち、登録部２３は、該当するＵＳＢメモリ３の識別情報及び関連付けて記憶されているユーザの識別情報を削除し、新たなユーザの識別情報に対してＵＳＢメモリ３の識別情報を関連付けて記憶する。
【００４２】
認証部２４は、ＵＳＢインターフェース２５からＵＳＢメモリ３の識別情報が出力された際、登録要求が受け付けられていない場合に、ユーザ認証を行う。すなわち、認証部２４は、登録要求が受けつけられずに、ＵＳＢメモリ３がＭＦＰ１に装着された場合に、ユーザ認証を行う。
【００４３】
認証部２４は、ユーザ認証において、ＵＳＢメモリ３から取得されたＵＳＢメモリ３の識別情報が、登録部２３に登録されている場合に、ユーザの認証が成功したと判断する。なお、認証が成功したユーザは、登録されたＵＳＢメモリ３の識別情報と関連付けて記憶されたユーザの識別情報によって識別されるユーザである。また、認証部２４は、ＵＳＢメモリ３の識別情報が、登録部２３に登録されていない場合に、ユーザの認証が失敗したと判断する。
【００４４】
なお、認証部２４は、ＵＳＢインターフェース２５からＵＳＢメモリ３の識別情報が出力された際、登録要求が既に受け付けられている場合は、認証処理を行わない。
【００４５】
制御部２２は、ユーザ認証が成功してログインしたユーザによる要求に応じて、画像データの処理をプリンタ１０、スキャナ１１、ＦＡＸ制御部１２、又はＩ−ＦＡＸ制御部１３に実行させる。画像データの処理には、プリント、スキャン、ＦＡＸの送信、Ｉ−ＦＡＸの送受信に伴う各種情報へのアクセス及び各種情報の表示も含まれる。
【００４６】
また、ユーザが、認証に使用されたＵＳＢメモリ３をＭＦＰ１から取り外すと、ＵＳＢインターフェース２５が、ＵＳＢメモリ３が取り外されたことを検出し、制御部２２が、ログアウトを行う。これにより、ユーザがＵＳＢメモリ３をＭＦＰ１から取り外すと、自動的にログアウトを行うことができる。
【００４７】
引き続いて、ＭＦＰ１の動作について説明する。まず、図３及び図４を参照して、ＭＦＰ１によるＵＳＢメモリ３の登録処理について説明する。図３及び図４は、ＭＦＰ１によるＵＳＢメモリ３の登録処理を示すフローチャートであり、図３はその前半部分、図４はその後半部分のフローチャートである。
【００４８】
まず、ステップＳ１０１では、ユーザが入力したユーザの識別情報が、操作部１９によって受け付けられる。ステップＳ１０２では、ユーザが行ったログイン操作が、操作部１９によって受け付けられる。続いて、ステップＳ１０３では、受け付けられたユーザの識別情報が、登録部２３に登録されているか否かが認証部２４によって判断される。
【００４９】
受け付けられたユーザの識別情報が登録部２３に登録されていない場合、ユーザ認証に失敗した旨が表示され、処理が終了する。受け付けられたユーザの識別情報が登録部２３に登録されている場合、処理がステップＳ１０４へ移行する。ステップＳ１０４では、ユーザ認証が成功しているので、ログイン状態となる。
【００５０】
ステップＳ１０５では、ユーザによるＵＳＢメモリ３の登録要求が、受け付けられる。そして、ユーザがＵＳＢメモリ３をＭＦＰ１に装着した後、ステップＳ１０６では、ＵＳＢメモリ３の装着が検出される。続く、ステップＳ１０７では、ＵＳＢメモリ３の識別情報が、該ＵＳＢメモリ３から取得される。
【００５１】
ステップＳ１０８では、取得されたＵＳＢメモリ３の識別情報が、登録済みか否かが判断される。登録済でない場合は、処理がステップＳ１１２へ移行する。登録済みである場合は、処理がステップＳ１０９へ移行する。ステップＳ１０９では、登録済みのメッセージ及び、上書登録をするか否かを問い合わせるメッセージが表示される。そして、ステップＳ１１０では、ステップＳ１０９で表示されたメッセージに対して、上書登録の指示が入力されたか否かが判断される。
【００５２】
上書登録の指示が入力されていない場合、すなわち、上書登録をしない旨の指示が入力された場合は、登録せずに、本処理を終了する。上書登録の指示が入力された場合、該当するＵＳＢメモリ３の識別情報及び関連付けて記憶されているユーザの識別情報が削除される。そして、ステップＳ１１２では、装着されているＵＳＢメモリ３の識別情報と、ログイン中のユーザの識別情報とが関連付けて登録される。
【００５３】
次に、図５を参照して、ＭＦＰ１によるＵＳＢメモリ３を利用した認証処理について説明する。図５は、ＭＦＰ１によるＵＳＢメモリ３を利用した認証処理を示すフローチャートである。
【００５４】
登録要求の受付が無い状態で、ＵＳＢメモリ３の装着が検出され（ステップＳ１２１）、ＵＳＢメモリ３の識別情報が取得された場合（ステップＳ１２２）、ステップＳ１２３では、取得したＵＳＢメモリ３の識別情報が、登録部２３に登録されているか否かが判断される。登録されていない場合は、処理がステップＳ１２４へ移行し、ユーザ認証が失敗した旨が表示され、処理が終了する。登録されている場合は、処理がステップＳ１２５へ移行し、ユーザ認証が成功したので、ログイン状態となる。以上の処理により、ユーザがＵＳＢメモリ３を装着すれば、自動的にユーザ認証が行われ、ログインすることができる。
【００５５】
以上説明した本実施形態に係るＭＦＰ１によれば、ユーザの識別情報及び登録要求がユーザから受け付けられ、また、ＵＳＢメモリ３から該ＵＳＢメモリの識別情報が取得され、ユーザの識別情報に対してＵＳＢメモリ３の識別情報が、関連付けて記憶される。そして、ユーザ認証が行われる際には、ユーザが自機にＵＳＢメモリ３を装着すれば、ＵＳＢメモリ３の識別情報が取得され、取得された識別情報が登録されている場合に、ユーザの認証が成功したと判断される。従って、認証に必要なユーザの情報を記憶媒体に記憶することなく、ユーザが該情報を入力する手間を省いて認証を行うことが可能となる。
【００５６】
また、ＵＳＢメモリ３の識別情報として、ＵＳＢメモリ３の製造時に記憶された該ＵＳＢメモリの固有の情報を利用するので、ユーザがＵＳＢメモリ３の識別情報を設定することなく利用することができる。
【００５７】
また、ＭＦＰ１によれば、ユーザが登録要求を行うことなく、ＵＳＢメモリ３を装着すれば、自動的にユーザ認証を行い、ＭＦＰ１にログインすることができる。
【００５８】
更に、登録要求が受け付けられたが、装着されているＵＳＢメモリ３から取得された識別情報が、既に登録されている場合、登録済みである旨のメッセージ、及び、上書登録を実行するか否かを問い合わせるメッセージが表示される。これにより、ユーザが登録をしようとしているＵＳＢメモリ３が既に登録されていることをユーザに通知し、上書登録を実行するか否かユーザに問い合わせ、ユーザの指示に従って上書登録を行うことができる。
【００５９】
以上、本発明の実施の形態について説明したが、本発明は、上記実施形態に限定されるものではなく種々の変形が可能である。上記実施形態では、着脱可能な記憶媒体としてＵＳＢメモリ３を利用したが、これに限られない。また、上記実施形態では、ＵＳＢメモリ３の識別情報として、ベンダＩＤ、プロダクトＩＤ、及びシリアルナンバーを利用したが、これら全てを利用していなくてもよく、これら以外の識別情報であってもよい。
【符号の説明】
【００６０】
１  ＭＦＰ
３  ＵＳＢメモリ
１０  スキャナ
１１  プリンタ
１２  ＦＡＸ制御部
１３  Ｉ−ＦＡＸ制御部
１４  ＮＣＵ
１５  モデム
１６  ネットワークＩ／Ｆ
１９  操作部
２１  Ｗｅｂサーバ
２２  制御部
２３  登録部
２４  認証部
２５  ＵＳＢインターフェース
【図１】
2012164107.tif 000003
【図２】
2012164107.tif 000004
【図３】
2012164107.tif 000005
【図４】
2012164107.tif 000006
【図５】
2012164107.tif 000007